Podtech/llm-jp-corpus-v4-ja_patent huggingface dataset:
(57)【要約】【課題】    肥料を混合した育苗用紙ポットを提供する。【解決手段】    任意形状の紙ポットの過程で肥料を混合させたことを特徴とする育苗用紙ポットである。【選択図】図１
2011078397.tif 000002
【特許請求の範囲】
【請求項１】
任意形状の紙ポットの製作の過程で任意適量の肥料を混合させたことを特徴とする育苗用紙ポット。
【請求項２】
任意形状の紙ポットの内面に任意適量の肥料を塗り付けたことを特徴とした育苗用紙ポット。
【請求項３】
任意形状の紙ポットの全体に多数の小孔を設けたことを特徴とした育苗用紙ポット。
【発明の詳細な説明】
【技術分野】
【０００１】本発明は、育苗に用いられる、使い捨ての紙ポットに関するものである。
【背景技術】
【０００２】従来、育苗用にポリエチレン製（以下、合成樹脂と言う）のポットが使用されることが大部分を占めていた。
また、古紙を原料にした育苗用紙ポットがあった。
【発明の概要】
【発明が解決しょうとする課題】
【０００３】  そのために、次のような問題点があった。
（１）合成樹脂ポットは使用後、廃棄処分が大部分だった。
（２）合成樹脂ポットは使用目的が限られていた。
（３）紙ポットは苗を植えたまま定植すると根の伸長が遮られてしまい、苗の育成が不良      となることがあった。
本発明は、これらの問題点を解決するためになされたものである。
【課題を解決するための手段】
【０００４】まず、使用後の廃棄処分は、任意形状の紙ポットの製作過程で任意適量の肥料を混合させたことを特徴とする育苗用紙ポットを使用することにより細かく裁断して苗の周りに置いたり埋めたりする。
【０００５】また、使用目的が限られている問題は、任意形状の紙ポットの内面に任意適量の肥料を塗り付けたことを特徴とした育苗用紙ポットを利用して、球根などを植え、長期間の肥料効果を期待する。
【０００６】それから、苗の育成が不良となる問題は、任意形状の紙ポット全体に多数の小孔を設けたことを特徴とした育苗用紙ポットを利用して、根がポットの外側に伸びられるようにする。
以上を特徴とする育苗用紙ポットである。
【発明の効果】
【０００７】合成樹脂ポットから紙ポットに変えることにより
（１）廃棄処分が簡単になる。
（２）使用目的が多くなる。
（３）肥料効果が持続する。
（４）保温効果がある。
【図面の簡単な説明】
【０００８】
【図１】肥料を混合させた紙ポットの斜視図
【図２】紙ポットの内面に肥料を塗った斜視図
【図３】紙ポットに小孔を設けた斜視図
【発明を実施するための最良の形態】
【０００９】以下、本発明の実施の形態について説明する。
（１）  古紙（２）と肥料（３）を混合させ育苗用ポット（１）を製作する。
混合させることにより、苗に常に肥料効果が期待できる。
また、苗を定植したら、苗の根元を囲むようにマット状にして保温効果を持たせ        る。
また、細かく裁断して、土壌に返す。
古紙と肥料の混合率は育苗する苗、種によっていくつかの方法が考えられる。
また、古紙の原料は雑誌、下ボールが考えられる。
（２）  古紙（２）で製作した育苗用ポット（１）の内面に肥料（３）を塗る。
球根などの越年させるものに対して、保温と肥料の効果が期待できる。
（３）  古紙（２）の育苗用ポット（１）の周りに多数の小孔（４）を開ける。
そのまま定植しても保温効果が期待できる。
本発明は、以上の構成よりなっている。
【符号の説明】
【００１０】１  育苗用ポット
２  古紙
３  肥料
４  小孔
【図１】
2011078397.tif 000003
【図２】
2011078397.tif 000004
【図３】
2011078397.tif 000005
(57)【要約】【課題】インターネットを通して実際の植物を栽培し、栽培した植物を手にすることが出来るゲームを提供する。【解決手段】ゲームのプレイヤーには実際の植物が植えられた各プレイヤー専用の区画が用意され、区画の周辺にはインターネット接続された情報収集機器並びに給水器が置かれ、ゲームのプレイヤーはインターネット接続された操作機器よりインターネットを通して、情報収集機器より得られる区画内の画像・区画周辺の温度・区画周辺の湿度を取得し、給水機に給水制御を行い、区画内に植えられた実際の植物を栽培し、その栽培した植物の生育状態に応じてプレイヤーに点数が与えられ、最終的に得られた点数に応じて賞品が与えられ、ゲームの終了時にはプレイヤーが指定する住所に実際に栽培した植物が送られるようにする。【選択図】図１
2011078390.tif 000002
【特許請求の範囲】
【請求項１】
ゲームのプレイヤーには実際の植物が植えられた各プレイヤー専用の区画が用意され、ゲームのプレイヤーは区画の周辺に置かれたインターネット接続された情報収集機器から、区画内の画像・区画周辺の温度・区画周辺の湿度をインターネットを通してインターネット接続された操作機器より取得し、更に区画の周辺に置かれたインターネット接続された給水制御可能な給水器をインターネット接続された操作機器よりインターネットを通して給水制御し、区画内に植えられた実際の植物を栽培し、その栽培した植物の生育状態に応じてゲームのプレイヤーに点数が与えられ、最終的に得られた点数を競うことを特徴としたインターネット植物栽培ゲーム
【請求項２】
ゲームの終了時にはプレイヤーが指定する住所にプレイヤーが栽培した植物が送られることを特徴とした請求項１記載のインターネット植物栽培ゲーム
【請求項３】
ゲームのプレイヤーが最終的に得た点数に応じてプレイヤーに賞品が与えられることを特徴とした請求項１と請求項２の何れかに記載のインターネット植物栽培ゲーム
【発明の詳細な説明】
【技術分野】
【０００１】  本発明は、インターネットを通して実際の植物の栽培を行うゲームに関するものである。
【背景技術】
【０００２】  従来、コンピューターのプログラムによる仮想の植物を栽培するゲームは存在していた。
【発明の概要】
【発明が解決しようとする課題】
【０００３】  解決しようとする問題点は以下の通りである。
（イ）実際に植物を栽培する為に必要な知識と経験を得ることが困難である。
（ロ）ゲーム内で仮想の植物を栽培してもその植物を実際に手に入れることは出来ない。
（ハ）実際に栽培した植物の生育状態を他のプレイヤーと競い合うことが出来ない。
本発明は、これらの問題点を解決するためになされたものである。
【課題を解決するための手段】
【０００４】  ゲームのプレイヤーには実際の植物が植えられた各プレイヤー専用の区画が用意される。ゲームのプレイヤーは区画の周辺に置かれたインターネット接続された情報収集機器から、区画内の画像・区画周辺の温度・区画周辺の湿度をインターネットを通してインターネット接続された操作機器より取得し、更に区画の周辺に置かれたインターネット接続された給水制御可能な給水器をインターネット接続された操作機器よりインターネットを通して給水制御し、区画内に植えられた実際の植物を栽培する。そして、その栽培した植物の生育状態に応じてゲームのプレイヤーに点数が与えられ、最終的に得られた点数を競うことを特徴としたインターネットを利用した実際の植物を栽培するゲームである。【０００５】  更にゲームの終了時にはプレイヤーが指定する住所にプレイヤーが栽培した植物が送られることを特徴とするものである。【０００６】  更にゲームのプレイヤーが最終的に得た点数に応じてプレイヤーに賞品が与えられることを特徴とするものである。
【発明の効果】
【０００７】  他のプレイヤーと競い合うゲームを体感しながら実際の植物を栽培する為に必要な知識と経験を得ることが出来、実際に栽培した植物を手に入れることが出来る。
【図面の簡単な説明】
【０００８】
【図１】図１は区画と区画周辺に置かれた機器を示した説明図である。
【図２】図２はプレイヤーと操作機器を示した説明図である。
【図３】図３はＷＥＢサーバーを示した説明図である。
【発明を実施するための形態】
【０００９】  以下、本発明の実施の形態について説明する。
（イ）ゲームのプレイヤーには、実際の植物（２）が植えられた各プレイヤー専用の区画（１）に仕切られた実際の土地が用意される。
（ロ）区画（１）の周辺には、インターネットに接続された、区画内を写すカメラ（３）、区画周辺の温度を計る温度計（５）、区画周辺の湿度を計る湿度計（６）の情報収集機器が置かれ、
（ハ）更に、インターネットからの通信により区画への給水の開始・停止の制御が可能なインターネットに接続された給水器（４）が置かれる。
（ニ）ゲームのプレイヤーはインターネットに接続された操作機器（７）（コンピュータ、携帯電話、ゲーム器を含む）を使用してゲームを遂行することとなる。
（ホ）更に、インターネット上には区画（１）周辺に置かれた情報収集機器（３、５、６）並びに給水器（４）と操作機器（７）との間の情報を中継するＷＥＢサーバーが用意される。
本発明は、以上の構成よりなっている。
【００１０】  前記の情報収集機器により取得された情報は前記のＷＥＢサーバーに送られ、ゲームのプレイヤーはゲーム中にインターネットに接続された前記の操作機器を使用して前記のＷＥＢサーバーにアクセスし、前記の情報収集機器により取得された情報を取得する。
更にゲームのプレイヤーはゲーム中に前記の操作機器を使用して前記のＷＥＢサーバーにアクセスし、ＷＥＢサーバーに組み込まれている区画への給水の開始・停止の制御画面より開始・停止の指示を入力し、入力された情報がＷＥＢサーバーから前記の給水器に送られ給水の開始・停止を制御する。
【００１１】  ゲームのプレイヤーには、栽培された植物の生育状態や病気の有無に応じてゲームの管理人より点数が与えられ、その点数情報は全てのプレイヤーが閲覧可能な形で前記のＷＥＢサーバー上に置かれ、これにより各プレイヤーは他のプレイヤーの点数を知ることが出来、更にゲーム終了までに獲得した点数に応じてプレイヤーに賞品が与えられる。
更にゲームの終了時には、ゲームのプレイヤーが栽培した植物がプレイヤーが指定する住所に配送される。
【００１２】  本発明の実施の形態ではＷＥＢサーバーを用いた説明を行ったが、ＷＥＢサーバーを用いずに、情報収集機器（３、５、６）並びに給水器（４）と操作機器（７）との間でインターネットを通じて直接情報の交換を行い、前記のプレイヤーの点数情報はゲームの管理人の持つインターネット接続された操作機器から全プレイヤーの操作機器（７）に、インターネットを通じて直接情報を配信する方法でも実現可能である。
【符号の説明】
【００１３】  １  は区画
２  は実際の植物
３  はカメラ
４  は給水器
５  は温度計
６  は湿度計
７  は操作機器
【図１】
2011078390.tif 000003
【図２】
2011078390.tif 000004
【図３】
2011078390.tif 000005
(57)【要約】【課題】２室分離型回転式エンジンの作動原理を提供する。【解決手段】ロータ（１）、ハウジング（２）、摺抜弁（３）、仕切板（４）、点火プラグ（５）ヤリトリ穴（６，７）、同期ギア（８）の８つの構成からなる機構を特徴とする。【選択図】図１
2011140936.tif 000002
【特許請求の範囲】
【請求項１】
２室分離型回転式エンジンの作動原理
【発明の詳細な説明】
【技術分野】
【０００１】圧縮側と燃焼側を仕切板（４）で分離した回転式エンジンの作動原理に関するものである。
【背景技術】
【０００２】先願整理番号０３の回転式エンジンでは圧接摺動部、開閉弁が必要であった。
【発明の開示】
【発明が解決しようとする課題】
【０００３】圧接摺動部、開閉弁をなくすこと。
【課題を解決するための手段】
【０００４】先願整理番号０３のベーン（３）の代りに摺抜弁（３）を用いることで解決した。
【発明の効果】
【０００５】圧接摺動部、開閉弁のない２室分離型回転式エンジンを作ることができる。
【発明を実施するための最良の形態】
【０００６】ここでは本発明の作動原理を説明する。圧縮側で所定の圧縮比に加圧された圧気はヤリトリ穴（６，７）を通り燃焼側へ送られ点火される。
摺抜弁（３）の回転を利用して圧気のヤリトリ中のみ圧縮側と燃焼側が開放される構造になっている。
【図面の簡単な説明】
【０００７】
【図１】圧気のヤリトリ開放時の図である。
【図２】圧気のヤリトリ完了時の図である。
【図３】圧気のヤリトリ説明展開図である。
【符号の説明】
【０００８】１  ロータ          ５  点火プラグ
２  ハウジング      ６  仕切板側ヤリトリ穴
３  摺抜弁          ７  摺抜弁側ヤリトリ穴
４  仕切板          ８  同期ギア
【図１】
2011140936.tif 000003
【手続補正書】
【提出日】平成22年3月10日(2010.3.10)
【手続補正１】
【補正対象書類名】図面
【補正対象項目名】全図
【補正方法】変更
【補正の内容】
【図１】
2011140936.tif 000004
【図２】
2011140936.tif 000005
【図３】
2011140936.tif 000006
(57)【要約】【課題】本発明は、並行配置した配管同士の２組のフランジ部を一括して連結できると共に、製作しやすく、低価格で供給できるフランジ継手用ダブルファスナを提供する。【解決手段】２列に並行配置した配管同士のフランジ部Ｆ１及びＦ２を一括して連結する連結具１０であって、各列の当接したフランジＦ１及びＦ２同士をそれぞれ嵌入できるようにした嵌入部１１と、各列の嵌入部１１を弾性結合する結合部１２と、嵌入部１１が外れないように弾性嵌着する押え部１３とを備えたものである。【選択図】        図６
2011140973.tif 000002
【特許請求の範囲】
【請求項１】
２列に並行配置した配管同士のフランジ部Ｆ１及びＦ２を一括して連結する連結具１０であって、各列の当接したフランジＦ１及びＦ２同士をそれぞれ嵌入できるようにした嵌入部１１と、各列の嵌入部１１を弾性結合する結合部１２と、嵌入部１１が外れないように弾性嵌着する押え部１３とを備えたことを特徴とするフランジ継手用ダブルファスナ。
【発明の詳細な説明】
【技術分野】
【０００１】
本発明は、並列配置した配管同士のフランジ部を連結するダブルファスナに関する。
【背景技術】
【０００２】
従来のファスナは、特開平９−１５９０７９号公報の図１に示すような単体の係止体１が使用されていたが、並列配置した配管同士のフランジ部を連結する場合、各々の配管のフランジ部に１個づつファスナを取り付けるため面倒な手間とかなりの作業時間が掛かった。特に浴槽の配管などせまい場所での作業が困難であった。
そこで、本発明者は、２個のファスナのフランジ嵌入部を弾性結合し、２組のフランジ部を一括して連結できるようにし、せまい場所での作業時間の減少と手間の軽減ができるダブルファスナの開発に成功した。
【先行技術文献】
【特許文献】
【０００３】
【特許文献１】特開平９−１５９０７９号公報
【発明の概要】
【発明が解決しようとする課題】
【０００４】
本発明は、並行配置した配管同士の２組のフランジ部を一括して連結できるフランジ継手用ダブルファスナを提供するものである。
また、本発明は、製作しやすく、低価格で供給できるフランジ継手用ダブルファスナを提供するものである。
【課題を解決するための手段】
【０００５】
本発明フランジ継手用ダブルファスナは、上記課題を達成するため、図示するように、請求項１の発明は、２列に並行配置した配管同士のフランジ部Ｆ１及びＦ２を一括して連結する連結具１０であって、各列の当接したフランジＦ１及びＦ２同士をそれぞれ嵌入できるようにした嵌入部１１と、各列の嵌入部１１を弾性結合する結合部１２と、嵌入部１１が外れないように弾性嵌着する押え部１３とを備えたものである。
本発明において、連結具１０は、弾性体であるエンジニアリング合成樹脂製又は薄板状のステンレスなどの金属製が好ましい。
【発明の効果】
【０００６】
本発明のフランジ継手用ダブルファスナは、並列配置した配管同士の２組のフランジ部を一括して連結して接続でき、作業時間の減少と作業の手間の軽減をはかることができる。
また、本発明のフランジ継手用ダブルファスナは、合成樹脂の一体成型、ステンレス等の金属薄板のプレス加工等で製作でき、多量生産とコスト低減ができる。
【図面の簡単な説明】
【０００７】
【図１】本発明実施例の正面を示す説明図である。
【図２】図１の側面を示す説明図である。
【図３】図１の平面を示す説明図である。
【図４】図１の斜視図である。
【図５】図１の別の斜視図である。
【図６】本発明実施例の使用状態を示す説明図である。
【図７】本発明実施例の別の使用状態を示す説明図である。
【発明を実施するための形態】
【０００８】
本発明を実施するための最良の形態が、実施例１に示されている。
【実施例１】
【０００９】
本発明実施例１が図１乃至図７に示されている。
本発明実施例のフランジ継手用ダブルファスナは、嵌入部１１と、結合部１２と、押え部１３とを備えている。
嵌入部１１は、当接する２列の配管Ｐ１及びＰ２に沿った湾曲部１１１、１１１の間に当接したフランジ部Ｆ１及びＦ２を嵌入できるように形成されている。
結合部１２は、円弧状に形成され、各列の嵌入部１１を相互に弾性結合できると共に、各列の嵌入部１１同士を一定間隔に連結できるように形成されている。
押え部１３は、嵌入部１１の片側に、フランジ部Ｆ１及びＦ２を弾性嵌着できるように形成されている。
従って、フランジ継手用ダブルファスナを使用するときは、連結具１０の下の結合部１２と押え部１３とを、当接する各列のフランジ部Ｆ１及びＦ２に当て、嵌入部１１を押し下げれば弾性結合部１２及び押え部１３の弾性変形により、当接する各列のフランジ部Ｆ１及びＦ２は、嵌入部１１に一括して嵌入して、迅速に連結して接続することができる。
【産業上の利用可能性】
【００１０】
本発明品は、構造簡単で、安価に量産できる。
【符号の説明】
【００１１】
１０                連結部
１１                嵌入部
１２                結合部
１３                押さえ部
Ｆ１、Ｆ２          フランジ部
【図１】
2011140973.tif 000003
【図２】
2011140973.tif 000004
【図３】
2011140973.tif 000005
【図４】
2011140973.tif 000006
【図５】
2011140973.tif 000007
【図６】
2011140973.tif 000008
【図７】
2011140973.tif 000009
(57)【要約】      （修正有）【課題】簡素で安価な構成で、かつ、過酷な使用にも耐える継ぎ手が求められる。【解決手段】ホース取り付け金具１、ナット２、ナット３、ナット４、スプリングワッシャ５、管６で構成されナット２は内側外側にネジが切ってある、それらのネジの回転方向は逆に成っている。ナット２の内側のネジは管６の外側のネジと同じ回転方向で、ナット２の外側のネジはナット３と同じ回転方向に成っている。スプリングワッシャ５は、管に固定されたナットによって支えられている。【選択図】図２
2011140963.tif 000002
【特許請求の範囲】
【請求項１】
管に捻じ込むナットは、内側と外側にねじ切りしてありそれらのねじの回転方向は逆に切ってある。また、このナットを締め付けるとナットは、スプリングワッシャで逆転しないように構成されている。スプリングワッシャは、管に固定されたナットによって支えられている。このような継ぎ手である。
【発明の詳細な説明】
【技術分野】
【０００１】  本発明は、気体及び液体の配管の、管の継ぎ手で、振動や管の回転によって継ぎ手が緩みはづれる事の無い継ぎ手である。又過酷な状態での使用に耐え得られる継ぎ手である。
【背景技術】
【０００２】  一般に、この種の継ぎ手は、管とナットの締め付けのみで行われるメカニカル継ぎ手と他に使用される継ぎ手としてワンタッチ継ぎ手等がある。
【発明の開示】
【発明が解決しようとする課題】
【０００３】  ところが上記のメカニカル継ぎ手は、振動及び管の回転によりはずれ安い。又ワンタッチ継ぎ手は、構造が複雑なため過酷な環境では挟雑物を噛みこんで壊れやすいし高価である。【０００４】  本発明は、上記した従来の問題点に鑑みてなされたものであって、簡素で安価な構成ですみ、かつ、過酷な状況に耐えうる継ぎ手の提供を目的とする。
【課題を解決するための手段】
【０００５】  上記目的を達成するために本発明に係る逆ねじジョイントは、管をつなぐナットとそのナットを更に締め付ける逆ねじを切ったナットで構成されている。
【発明の効果】
【０００６】  前記構成において、管を締め付けるナットが管からゆるむ方向に力が働くとそのナットを締め付けているナットは、逆ねじの為さらに締め付ける力が働く構造である。【０００７】  また、構造が簡素であるので過酷な状況でもこわれにくくコストも安価である。
【発明を実施するための最良の形態】
【０００８】  本発明の最良の実施形態を図面に基づいて説明する。以下に述べる実施形態は本発明を具体化した一例に過ぎず、本発明の技術的範囲を限定するものでない。ここに、図１は本発明の一実施形態に係る逆ねじジョイントの正面図、図２は前記逆ねじジョイントの側断面であって図１におけるＡ−Ａ線断面図、図３は前記逆ねじジョイントの一部断面を含む右側面図である。  各図において、この実施形態に係る逆ねじジョイント１は、ホースと管の継ぎ手である。【０００９】  継ぎ手の片方のホース取り付け金具１が、管６に刻まれたねじに合うナット２に差し込まれ回転可能である。他、片方の管６には、ナット２の外側に刻まれたねじに合うナット３が差し込まれ回転可能である。続いてナット３の内径より小さいスプリングワッシャ４が差し込まれている。続いて管６のねじに合いナット３の内径より小さいナット５が適宜な位置に、溶接、ねじ山潰し、接着剤、等で固定されている。又ねじ７とねじ８のねじの締め付け回転方向ＡＢは逆に刻まれている。以上の構成となっている。【００１０】  上記した構成の本発明の逆ねじジョイントでホースと管をつなぐ時は、まず管にナット２を捻じ込みホース取付金具１がナット２および管６と図２に示すように密着するまで締め付ける。次にナット２の外側に刻まれたねじにナット３を締め付けスプリングワッシャ５の力でゆるもうとする回転を止める。【００１１】  上記の実施形態ではホースと管に係る継ぎ手に用いた例を示したが、本発明の逆ねじジョイントはそれに限定されるものでなく、図４に示す管と管、図５に示すホースとホース、図６に示す管と一体となった機械への継ぎ手として適用可能である。
【図面の簡単な説明】
【００１２】
【図１】本発明は一実施形態に係る逆ねじジョイントの正面図である。
【図２】前記逆ねじジョイントの断面図であり図１におけるＡ−Ａ線断面図である。
【図３】前記逆ねじジョイントの右側面図である。
【図４】本発明の別の実施形態に係る逆ねじジョイント断面図である。
【図５】本発明の別の実施形態に係る逆ねじジョイント断面図である。
【図６】前記の逆ねじジョイントを使用した態様を示す側面図である。
【符号の説明】
【００１３】１ホース取付金具２ナット３ナット４ナット５スプリングワッシャ６管７ねじ切り回転方向ピッチＡ８ねじ切り回転方向ピッチＢ９コンプレッサー１０継ぎ手  図１１１継ぎ手  図４１２継ぎ手  図１１３ブレーカー１４ホース
【図１】
2011140963.tif 000003
【図２】
2011140963.tif 000004
【図３】
2011140963.tif 000005
【図４】
2011140963.tif 000006
【図５】
2011140963.tif 000007
【図６】
2011140963.tif 000008
(57)【要約】      （修正有）【課題】即席刻み麺やコーンフレーク等を収容する単一のカップ容器において、乾燥形態食事と含水形態食事を選択的に可能にすることができる高い利便性をもたらすカップ容器の親子蓋を提供する。【解決手段】カップ容器の全口径を覆うシール状の親蓋の周縁部寄りの一部位に直径３ｃｍの小径口を設け、その小径口を密封するシール状の子蓋１６を作る。親蓋の小径口部に対応せしめて貼り、粘着と剥離による開閉が自由にできる構造になっているカップ容器のシール状親子蓋１５を作る。【選択図】図１
2011140349.tif 000002
【特許請求の範囲】
【請求項１】
カップ容器の全口径を覆うシール状の親蓋の周縁部寄りの一部位に直径３ｃｍの小径口を設け、その小径口を密封するシール状の子蓋を作り、その子蓋の裏面周縁部は粘着質にして親蓋の小径口部に対応して貼り、粘着と剥離による開閉が自由にできる構造になっているカップ容器のシール状の親子蓋。
【発明の詳細な説明】
【技術分野】
【０００１】  本発明は、カップ容器の親子蓋に関する。
【背景技術】
【０００２】  従来、カップ容器の二重蓋があった。（特許文献１参照）。
【先行技術文献】
【特許文献】
【０００３】
【特許文献１】  特許公開平１１−７９２２８号公報  図１
【発明の概要】
【発明が解決しようとする課題】
【０００４】特許公開平１１−７９２２８号公報の二重蓋は、上蓋と下蓋が等寸大であり形状的に識別しにくかった。既存の一般的な即席カップ麺の一重蓋との外見での視覚的区別が乏しく、上蓋と下蓋を同時に開封する間違いの懸念もあった。  図１参照。
【課題を解決するための手段】
【０００５】  カップ容器の全経口を覆うシール状の親蓋の周縁部寄りの一部位に直径３ｃｍの小径口を設け、その小径口を密封するシール状の子蓋を作る。その子蓋は裏面周縁部が粘着質となっていて、親蓋の小経口部に対応して粘着と剥離による開閉が自由にできる構造になっているカップ容器のシール状親子蓋を作る。
【発明の効果】
【０００６】親子蓋は、単一のカップ容器において、乾燥形態食事と含水形態食事を選択的に可能にするので、カップ詰食事食品における利便性を高める。
親子蓋は、他の食品のカップ容器詰の蓋にも適用できる。
【発明を実施するための形態】
【０００７】実施例１
親子蓋を符号付で説明する。
つまみ部１７がある直径１０ｃｍのシール状蓋の周端部寄りの一部位に直径３ｃｍの小径口１９を設け、これを親蓋にした。そして、この親蓋の形状を縮小したようなつまみ部１８がある直径５ｃｍのシール状の子蓋１６を作った。その子蓋１６は、親蓋の小径口１９の開閉に剥離と接着が自在にできるように、子蓋１６の裏面は周端部が粘着質部位２１になっている。これを親蓋の直径３ｃｍの小径口１９の真上に接着し親子蓋１５にした。
なお、ここでの子蓋１６の作り方は、幅の広い片面粘着テープを子蓋形状に裁断し、その裏面中心部の直径３ｃｍとつまみ部突端１ｃｍに非粘着シールを貼りつけて子蓋１６にした。
【産業上の利用可能性】
【００８】  菜粉末成形具とその組合せ食品及び親子蓋は工業的に量産が可能で、産業上の利用可能性を有する。
【図面の簡単な説明】
【０００９】
【図１】親子蓋の表面図
【図２】親子蓋の裏面図
【図３】親子蓋の表面図
【図４】子蓋の裏面図
【図５】親子蓋付カップ容器全体図
【図６】即席野菜・海藻粉末成形具刻み麺の親子蓋付カップ容器詰の断面図
【図７】野菜・海藻粉末成形具コーンフレークの親子蓋付カップ容器詰の断面図
【符号の説明】
【００１０】１５  親子蓋
１６  子蓋
１７  親子蓋のつまみ部
１８  子蓋のつまみ部
１９  親子蓋裏面の小径口
２０  子蓋裏面の親子蓋小径口対応部位
２１  子蓋の裏面粘着質部位
３１  即席刻み麺
３２  野菜・海藻粉末成形具
３３  コーンフレーク
【図１】
2011140349.tif 000003
【図２】
2011140349.tif 000004
【図３】
2011140349.tif 000005
【図４】
2011140349.tif 000006
【図５】
2011140349.tif 000007
【図６】
2011140349.tif 000008
【図７】
2011140349.tif 000009
(57)【要約】【課題】着用者が水に浸かったときにパンツの内側に溜まった空気により大きな浮力が働くことを防止できるドライパンツを提供する。【解決手段】防水性素材よりなるパンツ１の胴回り部２及び左右の腿回り部３ａ、３ｂにパンツ２内側への水の浸入を防止するシール部５が設けられる。パンツ１内側の空気を排出するための逆流防止機能付空気抜き弁１０が設けられる。【選択図】図１
2011140729.tif 000002
【特許請求の範囲】
【請求項１】
防水性素材よりなるパンツの胴回り部及び左右の腿回り部にパンツ内側への水の浸入を防止するシール部が設けられ、パンツ内側の空気を排出するための逆流防止機能付空気抜き弁が設けられたことを特徴とするドライパンツ。
【発明の詳細な説明】
【技術分野】
【０００１】
本発明はパンツ内側を乾燥状態に保つことができるドライパンツに関する。
【背景技術】
【０００２】
従来、水治療、水中運動、入浴等の際に、水中で使用されるドライパンツが知られている。
【０００３】
特許文献１に開示されるドライパンツは、防水性を有する素材よりなるパンツの胴回り及び両腿回りにパンツ内側への水の浸入を防止するシール部が設けられている。このため水中で使用した場合にドライパンツ内に水が浸入し難く、パンツ内側を乾燥状態に保つことができる。またドライパンツの下におむつを着用する等して用いる場合には、シール部によっておむつに付着した汚物が外部に漏れ出すことも防止できる。
【先行技術文献】
【特許文献】
【０００４】
【特許文献１】特開２００３−２７３１１号公報
【発明の概要】
【発明が解決しようとする課題】
【０００５】
ところで上記特許文献１に示されるドライパンツは、着用時にパンツの内側が前記シール部で密閉された空間となる。このためパンツ内側に空気が溜まり、水に浸かった際に浮力が働いて、下腹部を水に沈め難くなり、また水中で体を動かし難くなるといった課題がある。
【０００６】
本発明は上記事情に鑑みてなされたものであって、着用者が水に浸かったときにパンツの内側に溜まった空気により大きな浮力が働くことを防止できるドライパンツを提供することを課題とする。
【課題を解決するための手段】
【０００７】
上記課題を解決するために本発明のドライパンツは、防水性素材よりなるパンツ１の胴回り部２及び左右の腿回り部３ａ、３ｂにパンツ２内側への水の浸入を防止するシール部５が設けられ、パンツ１内側の空気を排出するための逆流防止機能付空気抜き弁１０が設けられたことを特徴とする。
【０００８】
この構成を有するドライパンツは、パンツ１が防水性素材よりなり、且つパンツ１着用時には各シール部５にて胴回り部２及び左右の腿回り部３ａ、３ｂからの水の浸入を防止できる。このため、パンツ１内側は密閉された空間となり乾燥状態を保つことができる。また失禁によりパンツ１内側に発生した汚物が外部に漏れ出すことも防止でき、着用者１１が浸かった水を清潔に保つことができる。そしてこのドライパンツは、空気抜き弁１０からパンツ１の内側に溜まった空気を排出することができる。このため着用者１１が水に浸かったときにパンツ１の内側に溜まった空気により大きな浮力が働くことを防止でき、着用者は、下腹部を容易に水に沈めることができ、また水中で容易に体を動かすことができる。
【発明の効果】
【０００９】
本発明にあっては、着用者が水に浸かったときにパンツの内側に溜まった空気により大きな浮力が働くことを防止でき、これによって下腹部を容易に水に沈めることができ、また水中で容易に体を動かすことができる。
【図面の簡単な説明】
【００１０】
【図１】本発明の実施形態の一例のドライパンツ着用時を示す正面図である。
【発明を実施するための形態】
【００１１】
本発明を添付図面に基づいて説明する。図１に示される本実施形態のドライパンツは、防水性素材よりなるトランクス型のパンツ１の胴回り部２及び左右の腿回り部３ａ、３ｂの夫々にパンツ１内側への水の浸入を防止するシール部５が設けられている。
【００１２】
パンツ１の素材としては、ドライスーツ等で用いられる、発泡クロロプレンゴム生地や、布等の繊維質素材に防水性フイルムを貼り合わせたり防水コーティングを施したりしたもの等が用いられる。
【００１３】
シール部５は開口部となる胴回り部２及び腿回り部３ａ、３ｂの夫々の内周面に亘って設けられている。シール部５の素材としては、発泡クロロプレンのうち、特に伸縮性の高いもの、あるいはラテックスを用いるのが好適である。なお、パンツ１は、シール部５以外の部分は緩やかで体に密着しないルーズフィットとすることが好ましい。
【００１４】
パンツ１の股間部７の内側には、吸水パッド８を交換可能に収納するパッド収納部９が設けられている。パッド収納部９に収納された吸水パッド８は着用者１１の体との間に配置され、尿を吸収する。これによってパンツ１をおむつとしても利用できる。
【００１５】
パンツ１の前身頃の両側には、胴回り部２から腿回り部３ａ、３ｂにまで至る防水ファスナー６が設けられている。パンツ１の両側部は、これら上下に亘る防水ファスナー６にて分離・結合でき、これによってパンツ１の両側部を防水ファスナー６部分で分離してパンツ１内部を外側方に開放でき、これら開いた部分から両腿をパンツ１に出し入れできる。このため例えば座ったままパンツ１を履いたり脱いだりすることもできる。また、パンツ１の両側部は防水ファスナー６を介して水密的に結合できるため、これら防水ファスナー６部分からパンツ１内部への水の浸入は確実に防止される。
【００１６】
またパンツ１には、パンツ１と着用者１１の体の間にあるパンツ１内側の空気を排出するための空気抜き弁１０が設けられている。本実施形態では空気抜き弁１０がパンツ１の前身頃のパッド収納部９両側に設けられていて、両防水ファスナー６の間に位置している。
【００１７】
各空気抜き弁１０は従来から浮き輪やタイヤ等に用いられる弁と同様に逆流防止機能を有する弁であって、パンツ１内側から外側に向かって空気が流れることは許容するが、パンツ１外側から内側に向かって空気が流れることを防止する逆流防止機能を有している。
【００１８】
前記ドライパンツは水治療、水中運動、入浴等の際に着用される。既述のようにパンツ１は防水性素材よりなり、且つパンツ１着用時には各シール部５にて胴回り部２及び左右の腿回り部３ａ、３ｂからの水の浸入が防止される。このため、パンツ１内側は密閉された空間となり乾燥状態を保つことができる。また失禁によりパンツ１内側に発生した汚物が外部に漏れ出すことも防止でき、着用者１１が浸かった水を清潔に保つことができる。
【００１９】
また、既述のようにパンツ１の内側は密閉された空間となるため、着用者１１が水に浸かったときにはパンツ１の内側に溜まった空気により大きな浮力が働く場合がある。しかし、本実施形態のドライパンツにあっては、パンツ１を外側から押圧等して、パンツ１内側の密閉空間を加圧することにより、空気抜き弁１０からパンツ１の内側に溜まった空気を排出することができる。このため着用者１１は、下腹部を容易に水に沈めることができ、また水中で容易に体を動かすことができる。
【符号の説明】
【００２０】
１  パンツ
２  胴回り部
３ａ  腿回り部
３ｂ  腿回り部
５  シール部
１０  空気抜き弁
【図１】
2011140729.tif 000003
(57)【要約】【課題】  書籍において開いたページが勝手に捲れてしまわないように書籍の版面の天と背を同時に挟み込み固定する書籍ページ保持具を提供する【解決手段】  クリップ両押さえ部分の片側に天押さえ板（１）と同じくもう片側に凹形ホルダー（２）を設け、その両内側面に書籍の保護を兼ねる滑り止めを（３）（４）を施したクリップを特徴とする。【選択図】図２
2011140205.tif 000002
【特許請求の範囲】
【請求項１】
クリップの押さえ部分の片側に天押さえ板（１）を設け、クリップの押さえ部分のもう片側に凹形ホルダー（２）を設ける。天押さえ板（１）と凹形ホルダー（２）の両内側面に滑り止め（３）（４）を施す。
以上の構成によりなる書籍ページ保持具。
【発明の詳細な説明】
【技術分野】
【０００１】この発明は、クリップの押さえ部分に天押さえ板と凹形ホルダーを設け書籍の開いたページを同時に挟み込み固定する書籍ページ保持具に関するものである。
【背景技術】
【０００２】書籍において開いていたページが勝手に捲れてしまう。
【発明の概要】
【発明が解決しようとする課題】
【０００３】書籍をページが開いた状態で保持し、同時に操作性及び書籍の版面を隠さない機能性そして使用しない時の携帯性を向上させる。
【課題を解決するための手段】
【０００４】クリップ両押さえ部分の片側に天押さえ板（１）を設け、もう片側に書籍の背をはめ込む凹形ホルダー（２）を設ける。両内側面に滑り止め（３）（４）を施す。天押さえ板と凹形ホルダーで書籍版面の天部を挟み込み固定する。
本発明は、以上の構成により書籍ページ保持具である。
【発明の効果】
【０００５】書籍上部である天の部分だけで確実にページを固定することができるため版面を隠さずまた、コンパクトであり使い勝手と携帯性に優れる。
【発明を実施するための最良の形態】
【０００６】以下、本発明を実施するための最良の形態について説明する。
クリップ両押さえ部分の片側に開いた書籍の版面の天を押さえる天押さえ板（１）を設け、同じくもう片側に書籍の中心である背の部分をはめ込む凹形ホルダー（２）を設ける。両内側面に書籍の保護を兼ねる滑り止めを（３）（４）を施す。
本発明は、以上のような構造である。
これを使用するには、天押さえ板と凹形ホルダーで書籍を見開きの状態でのどを中心に版面の天を挟み込み固定すればよい。
【図面の簡単な説明】
【０００７】
【図１】  本発明の正面図である。
【図２】  本発明の背面図である。
【図３】  本発明の右側面図である。
【符号の説明】
【０００８】１  天押さえ板
２  凹形ホルダー
３  滑り止め
４  滑り止め
【図１】
2011140205.tif 000003
【図２】
2011140205.tif 000004
【図３】
2011140205.tif 000005
(57)【要約】【課題】  容易な方法にて吸引ノズルの吸引孔および吸引断面積を調整できること【解決手段】  スリット形状３１と刳り抜き穴３２をもつスリット板３０と、刳り抜き穴２１を持つパッキン板２０を重ね合わせることにより形成される各吸引孔はスリット板３０の板厚ｔとスリット幅３３で構成されるので調整が不要となり、吸引断面積は各吸引孔の合計により算出される。【選択図】図１
2011140015.tif 000002
【特許請求の範囲】
【請求項１】
気体または液体を吸引するノズルのおいて、スリット形状と刳り抜き穴を有する平板と、刳り抜き穴を有するパッキン板とを有し、平板およびパッキン板をそれぞれ少なくとも１枚ずつ重ね合わせた構造を持ち、平板の板厚とスリットの幅の組み合わせで吸引孔を形成することを特徴とするノズル。
【請求項２】
請求項１を有し、吸引元へと接続する接続口を備えたベースと一体となった吸引機構。
【請求項３】
請求項１において、平板材質が金属または樹脂である吸引ノズル。
【請求項４】
請求項１において、パッキン材質が金属または樹脂・ゴムのような弾性材料である吸引ノズル。
【請求項５】
請求項１を有するメタルマスク洗浄機
【請求項６】
請求項１を有するスクリーンマスク洗浄機
【請求項７】
請求項２を有するメタルマスク洗浄機
【請求項８】
請求項２を有するスクリーンマスク洗浄機
【発明の詳細な説明】
【技術分野】
【０００１】  本発明は、基板実装で用いるメタルマスク、または、シルク印刷などで用いるスクリーンマスクなどのような平板状物体の洗浄と乾燥に関して、電気吸引機やエゼクターに配管を介して接続し、それらによって発生される負圧を利用して吸引洗浄、または吸引乾燥を行なう吸引ノズルに関するものである。
【背景技術】
【０００２】  これまでマスク洗浄機に組み込まれる吸引ノズルは吹出し用スリットノズルを利用して吸引を行なっていた。特にスリット幅を広狭自在に可変できる可変スリットノズルは便利ではあるがスリット幅の調整に手間がかかる。または、ねじ止めのために緩むなどの欠点があり、マスク洗浄機への組込み後の調整などは困難であった。【０００３】  他にも管や厚板にスリット穴を加工して吸引孔としこれを利用して吸引する、またはスリットとなるように部品を組み合わせ吸引するという方法があるが、これらはスリット幅が固定されているので吸引断面積を調整しようとすると、ノズル自体の交換が必要であった。
【発明の概要】
【発明が解決しようとする課題】
【０００４】  吸引孔の寸法と吸引断面積の調整が難しい点である。
【課題を解決するための手段】
【０００５】  スリット形状３１と刳り抜き穴３２をもつスリット板３０と、刳り抜き穴２１を持つパッキン２０を重ね合わせることにより形成される各吸引孔３４はスリット板３０の板厚ｔとスリット幅３３で構成されるので確実な寸法となり、従来可変スリットノズルで必要であったスリット幅の調整は必要ないものとなる。【０００６】  従って、吸引孔の寸法または吸引断面積は、スリット幅３３または板厚ｔの異なるスリット板３０を追加、または取外し、あるいは交換することにより容易に調整できる。
【図面の簡単な説明】
【０００７】
【図１】  吸引ノズルの構成図（図面煩雑化を避けるためネジとネジ穴は省略している）
【図２】  吸引ノズル（正面図）（図面煩雑化を避けるためネジとネジ穴は省略している）
【図３】  吸引ノズル（図２の拡大図）
【図４】  吸引ノズルの吸引イメージ図
【発明を実施するための形態】
【０００８】  各吸引孔３４より吸引された気体または液体はＸよりスリット形状３１を通過し、パッキン２０の刳り抜き穴２１を、またはスリット板３０の刳り抜き穴３２を、あるいはその両方を通過し、ベース４１の底面に取り付けられた接続口４２より吸引される。
【符号の説明】
【０００９】２０  パッキン
２１  刳り抜き穴
３０  スリット板
３１  刳り抜き穴
３２  スリット
３３  スリット幅
３４  吸引孔
４０  蓋
４１  ベース
４２  接続口
ｅ    パッキン板板厚
ｔ    スリット板板厚
Ｘ    吸引方向
Ｙ    至  接続口
【図１】
2011140015.tif 000003
【図２】
2011140015.tif 000004
【図３】
2011140015.tif 000005
【図４】
2011140015.tif 000006
(57)【要約】【課題】より安全かつ効果的に毛髪のきりくずを集め、頭皮や毛髪をいためず、衛生的なものとする。【解決手段】吸引圧力等を感知しながら、吸引圧力を手元で調整できるようにする。先の丸い円錐状の突起物を備え、一定間隔に配置し、またその形状を頭皮接面部にフィットしやすいようにすることにより、髪をすきやすくし、髪の切りくずを集めやすくする。紫外線滅菌器の保管において、紫外線照射の影をなくし、滅菌効果を上げる。【選択図】図１
2011239802.tif 000002
【特許請求の範囲】
【請求項１】
吸引口部分に吸引圧力を調整する調整口を設け、掃除機等の吸引機と接続する連結部とブラシ状の突起物を備えたことを特徴とするノズル
【請求項２】
掃除機等の吸引機と接続する連結部と、先の丸いブラシ状の突起物を一定間隔に配置し、頭皮接面部にフィットしやすいように緩やかに丸みをもたせるようにブラシ部分の長さを中心にいくに従い、短くし、その中心部に吸引口と吸引圧力調整口を設置したことを特徴とするノズル
【請求項３】
衛生的に使用するために、紫外線滅菌器において、紫外線照射の影の部分をなくしたことを特徴とするノズル
【発明の詳細な説明】
【技術分野】
【０００１】
本発明は、掃除機等の吸引機の吸い込み口につけるノズルに関する。
【背景技術】
【０００２】
掃除機等のノズルは、昨今、理容店やカット専門店において散髪後の頭皮および髪の毛に付着した切りくずとしての毛髪を吸引する際に使用している。しかし、皮脂等で頭皮についた毛髪等はなかなかとれにくく、効果的に吸引し、かつ、使用後、滅菌器において衛生的に保管できるものがなかった。
また、状況に応じて吸引力を調整することができなかった。
【先行技術文献】
【特許文献】
【０００３】
【特許文献１】特開平１０−２５７９２３
【発明の概要】
【発明が解決しようとする課題】
【０００４】
以上のような従来のノズルには、次のような解決すべき課題があった。
（１）形状において、頭部との密着性から、吸引力が分散し、効果的に毛髪の切りくずをとることができない。
（２）状況に応じて手元で吸引力を調整することができず、髪の量においては必要以上に圧力がかかることがあった。
（３）使用後は、通常紫外線滅菌器で保管するが、紫外線滅菌器では、紫外線のあたらない部分の滅菌は不十分であることから、構造的にノズルの内部にも紫外線があたらなければ衛生的ではない。場合によっては、皮膚感染症等を感染させることとなる。
【課題を解決するための手段】
【０００５】
本発明は以上の点を解決するために、次のような構成を採用する。
＜構成１＞
掃除機等の吸引機と接続するパイプ状の連結部と吸引口を中心に複数の細長く先の丸い円錐状の突起物を頭部の丸みに合わせるように設置したことを特徴とするノズル
【０００６】
＜構成２＞
掃除機等の吸引機と接続するパイプ状の連結部近くに、吸引力を調整する弁を配備し、吸引口を中心に、先端を丸くした複数の細長い円錐状の突起物を、人の頭部の丸みに合わせるように設置したノズル
【０００７】
＜構成３＞
掃除機等の吸引機と接続するパイプ状の連結部近くに、吸引力を調整する弁を配備し、吸引口を中心に、先端を丸くした複数の細長い円錐状の突起物を、人の頭部の丸みに合わせるように設置し、紫外線滅菌器において、全体が滅菌できる構造を特徴とするノズル
【発明の効果】
【０００８】
本発明のノズルには次のような効果がある。
（１）吸引時の状況にあわせて、微妙な吸引力の調整を手元で行うことができ、頭皮や毛髪を傷つけにくくする。
（２）頭皮の丸みに合わせるように突起物が配置されているので、一定の吸引力を保ち、頭皮についた毛髪の切りくずも集めやすくする。
（３）ブラシ部分および吸引部等、構造自体がシンプルにできているので、毛髪のからみつきを防ぎ、使用後の紫外線滅菌器での保管において、吸引口をはじめ、紫外線照射の影になる部分がほとんどなく、滅菌効果を高め、より衛生的で、頭皮の感染症予防にもなる。
【図面の簡単な説明】
【０００９】
【図１】本発明のノズルの具体例斜視図を示す。
【図２】本発明のノズルの使用後の滅菌器での保管方法を示す。
【図３】本発明のブラシ側からの平面図、連結部側からの平面図、側面図、側面断面図を示す。
【発明を実施するための形態】
【００１０】
以下、本発明を図の具体例を用いて詳細に説明する。
【実施例１】
【００１１】
図１に本発明のノズルの具体例斜視図を示す。
図のノズルは、掃除機等の吸引機と接続するパイプ状の連結部近くに、吸引力を調整する弁を配備し、吸引口を中心に、先端を丸くした複数の細長い円錐状の突起物を、人の頭部の丸みに合わせるように設置した円盤状の構造物から構成される。
【００１２】
以上のノズルは次のようにして使用する。
掃除機等の吸引機のホースの先端に本発明のノズルを連結し、散髪後の人の頭部にあて、毛髪の切りくずをとる。そのノズルを用いて髪の毛をとかしながら、切りくずを吸引していく。頭部の丸みにあわせるような形状になっているので、効果的に毛髪の切りくずを集めやすい。
また、吸引口には空気穴があいており、指でその穴を塞ぎながら使用する。吸引圧力が高いと感じた時はその指で空気穴の開閉を行い、圧力を調整する。
【実施例２】
【００１３】
図２は使用後の保管方法について示した。
使用後は、紫外線滅菌器で滅菌するが、紫外線のあたらない部分は滅菌効果が著しく低下するため、ノズルの奥に入った頭皮の老廃物やカビ等の滅菌において効果がのぞめない。
本発明においては、図２のように、影になる部分はほとんどなく、効果的な滅菌が期待できる。透明または半透明にすることにより、さらに紫外線滅菌の効果はあがる。
また、材質においては、構造がシンプルになっているので、ポリエチレン等の単一素材で、組み立てを排除して製造することにより洗浄もしやすくなり、製造コストも削減することができる。
【００１４】
図３には、上下の平面図、側面図、側面断面図を示した。
中央には吸い込み口となる穴があいており、掃除機のホースとの連結部を通して掃除機に
毛髪の切りくずが吸い込まれる。また、吸引口の横には吸引圧力を調整する空気穴があいており、使用時に圧力を調整することができる。
【００１５】
円錐状の突起物の先端は丸く、１本１本の配置は吸い込み口のある中央に向かうにつれ短くなっており、頭部との接点部がフィットしやすいようになっている。
また、突起物の土台部分に丸みを帯びさせて頭部との接点部をフィットしやすくさせてもよい。
【符号の説明】
【００１６】
１  吸引口
２  圧力調整弁
３  ブラシ部
４  ノズル部
５  延長ホース
６  掃除機
７  紫外線滅菌器
８  紫外線滅菌灯
９  ホース連結部
１０  滅菌器内反射板
【図１】
2011239802.tif 000003
【図２】
2011239802.tif 000004
【図３】
2011239802.tif 000005
(57)【要約】      （修正有）【課題】ハンガー本体掛け部の破損を防ぐ事を目的とした風に強い干し物ハンガーを提供する。【解決手段】ハンガー本体１と握り５，５Ｄを有する掛け部７からなる干し物ハンガーにおいて、ハンガー本体１のハンガー部２，２Ａに前後関節３，３Ｂを設け、掛け部７の握り５，５Ｄに左右関節４，４Ｃを設け、該前後関節３，３Ｂと該左右関節４，４Ｃとを直結して、ハンガー部２，２Ａが掛け部７に対し前後左右に動くようにする。【選択図】図１
2011239855.tif 000002
【特許請求の範囲】
【請求項１】
干し物ハンガー本体（１）と、前記干し物ハンガー本体（１）に図解された、前後関節(３，３Ｂ）と直結された左右関節（４，４Ｃ）からなる風に強い干し物ハンガーであって、前記干し物ハンガー本体（１）は、ハンガー部（２，２Ａ）に掛けた干し物が風に吹かれ、前記前後関節（３，３Ｂ）が前後に動き、風が変化したとき前記左右関節（４，４Ｃ）が同時に左右に動くことにより掛け部（７）の負担が少なく、破損をなくすことを特徴とする風に強い干し物ハンガー。
【発明の詳細な説明】
【技術分野】
【０００１】
本発明は、干し物ハンガーの関節部が前後左右に動くように作り、竿に固定しても掛け部が破損しないようにしたものである。
【背景技術】
【０００２】
従来のハンガー本体は、干し物竿に掛けるために左右の関節があるだけである。
【先行技術文献】
【特許文献】
【０００３】
【特許文献１】特開平７−３２７８０６号公報
【発明の概要】
【発明が解決しようとする課題】
【０００４】
そのため次のような問題点があった。
（イ）従来のハンガーは強い風により掛け部が破損しやすい。
（ロ）ぐるぐる回るハンガーもあるが隣のハンガーに接触し、沢山干せない。
本発明は以上の問題点を解決しようとするものである。
【課題を解決するための手段】
【０００５】
干し物ハンガーの関節部が前後左右に動くようにしたことにより課題を解決した。
【発明の効果】
【０００６】
干し物ハンガー本体（１）と、前記干し物ハンガー本体（１）に図解された、前後関節（３，３Ｂ）と直結された左右関節（４，４Ｃ）からなる風に強い干し物ハンガーであって、前記干し物ハンガー本体（１）は、ハンガー部（２，２Ａ）に掛けた干し物が風に吹かれ、前記前後関節（３，３Ｂ）が前後に動き、風が変化したとき前記左右関節（４，４Ｃ）が同時に左右に動くことにより掛け部（７）
の負担が少なく、破損をなくすことを特徴とする風に強い干し物ハンガー。
【０００７】
本発明の商品はハンガーに前後関節、左右関節を取り付けることにより掛け部の破損を防ぐ事ができる。
【図面の簡単な説明】
【０００８】
【図１】本発明の正面図
【図２】本発明の正側図
【発明を実施するための形態】
【０００９】
以下、本発明の形態を説明する。
干し物ハンガー本体（１）と、前記干し物ハンガー本体（１）に図解された、前後関節（３，３Ｂ）と直結された左右関節（４，４Ｃ）からなる風に強い干し物ハンガーであって、前記干し物ハンガー本体（１）は、ハンガー部（２，２Ａ）に掛けた干し物が風に吹かれ、前記前後関節（３，３Ｂ）が前後に動き、風が変化したとき前記左右関節（４，４Ｃ）が同時に左右に動くことにより掛け部（７）
の負担が少なく、破損をなくすことを特徴とする風に強い干し物ハンガー。
以上のように構成された風に強い干し物ハンガー、に関するものである。
本発明を使用するときは、ハンガー部（２，２Ａ）に干し物を掛け、握り（５，５Ｄ）を握り、掛け部（７）を物干し竿に固定する。
【符号の説明】
【００１０】
１        ハンガー本体
２        ハンガー部
２Ａ      ハンガー部
３        前後関節
３Ｂ      前後関節
４        左右関節
４Ｃ      左右関節
５        握り
５Ｄ      握り
６        掛け用関節
７        掛け部
【図１】
2011239855.tif 000003
【図２】
2011239855.tif 000004